【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
個人の1つまたは複数の認知スキルの評価を生成するための装置であって、
ユーザインターフェースと、
プロセッサ実行可能命令を記憶するためのメモリと、
前記ユーザインターフェースおよび前記メモリに通信可能に接続されている1つまたは複数の処理ユニットと
を備え、
前記1つまたは複数の処理ユニットにより前記プロセッサ実行可能命令が実行されると、前記1つまたは複数の処理ユニットは、
前記ユーザインターフェースに表現される環境の一部分のビューの第1のセットに基づき前記環境内をナビゲートする環境中心ナビゲーション能力に頼ることを個人に要求する第1の課題を表現することと、
前記第1の課題に応答して前記個人によって実行される環境中心ナビゲーションに関連付けられている1つまたは複数のパラメータの第1のセットの測定に基づきデータの第1のセットを生成することと、
前記ユーザインターフェースに表現される前記環境の一部分のビューの第2のセットに基づき前記環境内をナビゲートする自己中心ナビゲーション能力に頼ることを前記個人に要求する第2の課題を表現することと、
前記第2の課題に応答して前記個人によって実行される自己中心ナビゲーションに関連付けられている1つまたは複数のパラメータの第2のセットの測定に基づきデータの第2のセットを生成することと、
データの前記第1のセットおよびデータの前記第2のセットを解析することと、
データの前記第1のセットとデータの前記第2のセットとの間の差を決定することに少なくとも部分的によって、前記第2の課題における前記個人のパフォーマンスと比較して前記第1の課題における前記個人のパフォーマンスの差に基づき前記個人の認知能力の指示を生成することと
を行うように構成されている、装置。
【請求項２】
前記1つまたは複数の処理ユニットは、データの前記第1のセットおよびデータの前記第2のセットに少なくとも部分的に基づき、(i)前記個人の神経変性状態の徴候の尤度、または(ii)前記神経変性状態の進行の段階のうちの1つもしくは複数を示すスコアリング出力を生成するようにさらに構成される、請求項1に記載の装置。
【請求項３】
前記1つまたは複数の処理ユニットは、データの前記第1および第2のセットの解析結果に少なくとも部分的に基づき、前記個人の脳の内嗅皮質および海馬領域に関する前記個人の脳の尾状核領域の相対的健全性または強度を示すスコアリング出力を生成するようにさらに構成される、請求項1に記載の装置。
【請求項４】
前記1つまたは複数の処理ユニットは、前記スコアリング出力を前記個人に伝送し、および/または前記ユーザインターフェース上に前記スコアリング出力を表示するようにさらに構成される、請求項2または3に記載の装置。
【請求項５】
前記1つまたは複数の処理ユニットは、第1の予測モデルを前記個人の前記認知能力を示すデータに適用してβアミロイド、シスタチン、αシヌクレイン、ハンチンチンタンパク質、またはタウタンパク質のうちの1つまたは複数の発現レベルに関して個人を分類するようにさらに構成される、請求項1に記載の装置。
【請求項６】
前記第1の予測モデルは、複数の訓練データセットを使用して訓練され、各訓練データセットは、複数の個人のうちのすでに分類されている個人に対応し、各訓練データセットは、分類された個人の前記認知能力の前記指示を表すデータと、分類された個人における神経変性状態の状況または進行の診断を示すデータとを含む、請求項5に記載の装置。
【請求項７】
前記第1の予測モデルは、前記個人の前記神経変性状態のその後の尺度に対するインテリジェントプロキシとして機能する、請求項6に記載の装置。
【請求項８】
1つもしくは複数のパラメータの前記第1のセットまたは前記第2のセットは、前記環境に関するナビゲーション速度の尺度、前記環境に関する配向、前記環境に関する速さ、ナビゲーション戦略の選択、ナビゲーション中の待ちもしくは遅延期間もしくは不活動期間の尺度、コースを完了する時間間隔、またはコースを辿るナビゲーション経路の最適化の程度のうちの少なくとも1つを含む、請求項1に記載の装置。
【請求項９】
個人の1つまたは複数の認知スキルを増強するための装置であって、
ユーザインターフェースと、
プロセッサ実行可能命令を記憶するためのメモリと、
前記ユーザインターフェースおよび前記メモリに通信可能に接続されている1つまたは複数の処理ユニットと
を備え、
前記1つまたは複数の処理ユニットにより前記プロセッサ実行可能命令が実行されると、前記1つまたは複数の処理ユニットは、一連の少なくとも2回の繰り返しで、
前記ユーザインターフェースに表現される環境の少なくとも一部の1つまたは複数のビューに基づき前記環境内をナビゲートすることを個人に要求する課題を表現するステップであって、前記個人が前記環境をナビゲートするときに前記1つまたは複数のビューが更新される、ステップと、
前記個人からナビゲーションコマンドを受信するステップと、
受信された前記ナビゲーションコマンドに基づき前記環境内のナビゲーションを制御するステップと、
前記環境の少なくとも一部の1つまたは複数の第1のビューに基づき前記課題を実行する際の前記個人の環境中心ナビゲーション能力を示す情報を提供する1つまたは複数のパラメータの第1のセットを測定し、1つまたは複数のパラメータの前記第1のセットの前記測定に関する情報を有するデータの第1のセットを生成するステップと、
前記環境の少なくとも一部の1つまたは複数の第2のビューに基づき前記課題を実行する際の前記個人の自己中心ナビゲーション能力を示す情報を提供する1つまたは複数のパラメータの第2のセットを測定し、1つまたは複数のパラメータの前記第2のセットの前記測定に関する情報を有するデータの第2のセットを生成するステップと、
データの前記第1のセットおよびデータの前記第2のセットの少なくとも一部を解析するステップであって、第2の繰り返しまたはその後の繰り返しにおいて表現される課題は、1つまたは複数の前の繰り返しで測定された1つまたは複数のパラメータに関連付けられているデータの前記第1のセットおよびデータの前記第2のセットのうちの少なくとも1つの解析結果に少なくとも部分的に基づき決定される、ステップと、
前記繰り返しのうちの少なくともいくつかにおける前記課題への応答に関連付けられているデータの前記第1のセットおよびデータの前記第2のセットの前記解析から導出された前記課題における前記個人のパフォーマンスの差に基づき前記個人の認知能力の指示を生成するステップと
を繰り返し実行するように構成されている、装置。
【請求項１０】
前記1つまたは複数の処理ユニットは、データの前記第1のセットまたはデータの前記第2のセットのうちの一方もしくは両方の前記解析結果に少なくとも部分的に基づき前記第2の繰り返しまたは前記その後の繰り返しのうちの1つもしくは複数で表現される前記課題の難易度レベルを調整するようにさらに構成される、請求項9に記載の装置。
【請求項１１】
前記1つまたは複数の処理ユニットは、データの前記第1のセットおよびデータの前記第2のセットに少なくとも部分的に基づき、(i)前記個人の神経変性状態の徴候の尤度、または(ii)前記神経変性状態の進行の段階のうちの1つもしくは複数を示すスコアリング出力を生成するようにさらに構成される、請求項9に記載の装置。
【請求項１２】
前記1つまたは複数の処理ユニットは、データの前記第1および第2のセットの前記解析結果に少なくとも部分的に基づき、前記個人の脳の内嗅皮質および海馬領域に関する前記個人の脳の尾状核領域の相対的健全性または強度を示すスコアリング出力を生成するようにさらに構成される、請求項9に記載の装置。
【請求項１３】
前記1つまたは複数の処理ユニットは、前記スコアリング出力を前記個人に伝送し、および/または前記ユーザインターフェース上に前記スコアリング出力を表示するようにさらに構成される、請求項11または12に記載の装置。
【請求項１４】
前記1つまたは複数の処理ユニットは、第1の予測モデルを前記個人の前記認知能力を示すデータに適用してβアミロイド、シスタチン、αシヌクレイン、ハンチンチンタンパク質、またはタウタンパク質のうちの1つまたは複数の発現レベルに関して個人を分類するようにさらに構成される、請求項9に記載の装置。
【請求項１５】
前記第1の予測モデルは、複数の訓練データセットを使用して訓練され、各訓練データセットは、複数の個人の以前に分類された個人に対応し、各訓練データセットは、分類された個人の前記認知能力の前記指示を表すデータと、分類された個人における神経変性状態の状況または進行の診断を示すデータとを含む、請求項14に記載の装置。
【請求項１６】
前記1つまたは複数の処理ユニットは、データの前記第1および第2のセットの前記解析結果に少なくとも部分的に基づき、前記個人の脳の内嗅皮質および海馬領域に関する前記個人の脳の尾状核領域の相対的健全性または強度を示すスコアリング出力を生成するようにさらに構成される、請求項9に記載の装置。
【請求項１７】
前記ユーザインターフェースにおいて前記課題を表現する前に、前記処理ユニットは、
個人に投与されているかもしくは投与されるべき医薬品、薬物、または生物剤の量、濃度、もしくは投薬滴定のうちの1つもしくは複数を示すデータを受信し、
前記解析結果に少なくとも部分的に基づき、前記個人の認知能力の変化を示す出力を前記ユーザインターフェースに生成するようにさらに構成される、請求項9に記載の装置。
【請求項１８】
1つまたは複数のセンサコンポーネントをさらに備え、
前記処理ユニットは、1つまたは複数のパラメータの前記第1のセットを示すデータおよび1つまたは複数のパラメータの前記第2のセットを示すデータを測定するために前記1つまたは複数のセンサコンポーネントを制御するようにさらに構成される、請求項9に記載の装置。
【請求項１９】
前記1つまたは複数のセンサコンポーネントは、ジャイロスコープ、加速度計、モーションセンサ、位置センサ、圧力センサ、光センサ、画像キャプチャデバイス、聴覚センサ、または振動センサのうちの1つまたは複数を含む、請求項18に記載の装置。
【請求項２０】
個人の神経変性状態の指示として前記個人の1つまたは複数の認知スキルを増強するための装置であって、
ユーザインターフェースと、
プロセッサ実行可能命令を記憶するためのメモリと、
前記ユーザインターフェースおよび前記メモリに通信可能に接続されている処理ユニットと
を備え、
前記処理ユニットにより前記プロセッサ実行可能命令が実行されると、前記処理ユニットは、
前記ユーザインターフェースに表現される環境の少なくとも一部のビューに基づき前記環境内をナビゲートすることを個人に要求する第1の課題を表現することであって、前記ビューは前記個人が前記環境をナビゲートするときに更新される、ことと、
前記個人から前記第1の課題への第1の応答を受信することであって、前記第1の応答はナビゲーションコマンドを含む、ことと、
前記第1の応答における前記ナビゲーションコマンドに基づき前記環境内のナビゲーションを制御することと、
前記第1の課題を実行する際の前記個人の環境中心ナビゲーション能力を示す1つまたは複数のパラメータの第1のセットを測定し、1つまたは複数のパラメータの前記第1のセットの前記測定に関する情報を有するデータの第1のセットを生成することと、
前記第1の課題を実行する際の前記個人の自己中心ナビゲーション能力を示す1つまたは複数のパラメータの第2のセットを測定し、1つまたは複数のパラメータの前記第2のセットの前記測定に関する情報を有するデータの第2のセットを生成することと、
データの前記第1のセットおよびデータの前記第2のセットを解析することと、
データの前記第1および第2のセットの解析結果に少なくとも部分的に基づき決定される第2の課題を表現することであって、前記個人は前記ユーザインターフェースに表現された前記環境の前記少なくとも一部の前記ビューに基づき前記環境内をナビゲートする必要があり、前記ビューは前記個人が前記環境をナビゲートするときに更新される、ことと、
前記個人からさらなるナビゲーションコマンドを受信し、受信された前記さらなるナビゲーションコマンドに基づき前記環境内のナビゲーションを制御することと、
前記第2の課題を実行する際の前記個人の環境中心ナビゲーション能力を示す1つまたは複数のパラメータの前記第1のセットを測定し、1つまたは複数のパラメータの前記第1のセットの前記測定に関する情報を有するデータの第3のセットを生成することと、
前記第2の課題を実行する際の前記個人の自己中心ナビゲーション能力を示す1つまたは複数のパラメータの前記第2のセットを測定し、1つまたは複数のパラメータの前記第2のセットの前記測定に関する情報を有するデータの第4のセットを生成することと、
データの前記第3のセットおよびデータの前記第4のセットの測定結果を解析することと、
データの前記第1、第2、第3、および第4のセットの解析結果に少なくとも部分的に基づき、(i)前記個人の神経変性状態の徴候の尤度、または(ii)前記神経変性状態の進行の段階のうちの少なくとも1つを示すスコアリング出力を生成することと
を行うように構成されている、装置。
【請求項２１】
前記処理ユニットは、データの前記第1のセットまたはデータの前記第2のセットのうちの一方もしくは両方の前記解析結果に少なくとも部分的に基づき前記第2の課題の難易度レベルを調整するようにさらに構成される、請求項20に記載の装置。